(57)【要約】     【課題】  抵抗による分圧電圧やコンデンサが充電もしくは放電される時間を組み合わせて識別値として使用することにより、簡易かつ安価で精度の高い接続機器の識別装置を提供する。  【解決手段】  制御回路に電源が供給されると、コンデンサＣ２９は徐々に充電され接続点Ｖｐ２５の電圧も徐々に上昇していく。電圧が抵抗Ｒａ２３と抵抗Ｒｂ２８との分圧電圧に到達したら、制御部２１はその電圧をＡ／Ｄ変換部２２でデジタル値に変換し、分圧電圧値として制御部２１内の記憶部で記憶する。制御部２１は一旦コンデンサを放電してＶｐ２５の電圧をゼロにした後、再び充電を開始しＶｐ２５の電圧が記憶した分圧電圧に到達するまでの時間を計測する。制御部２１は計測した時間と分圧電圧値を識別値とし、識別値に対応したサブ基板２７の識別を行いそれに応じた制御を行う。これにより多種類のサブ基板２７の識別を簡易かつ安価な構成でより高い精度で行うことができる。  【選択図】  図３
2009204178.tif 000002
【特許請求の範囲】
【請求項１】
メイン機器とサブ機器とが着脱自在に構成され、
第１の抵抗を備えた前記サブ機器が前記メイン機器に接続された際に、前記第１の抵抗又は同第１の抵抗に直列に接続された第２の抵抗に直流電圧を印加する直流電源と、
前記第１の抵抗と前記第２の抵抗との間の電圧である分圧電圧を前記サブ機器の第１の識別値として検出し、同第１の識別値に基づいて前記サブ機器を識別する制御部とを前記メイン機器に備えた識別装置において、
前記制御部が、前記第１の抵抗と並列に設けられたコンデンサへの充電時間、又は、放電時間を第２の識別値として検出し、前記第１の識別値と前記第２の識別値とに基づいて前記サブ機器を識別することを特徴とする接続機器の識別装置。
【請求項２】
前記コンデンサに蓄積された電荷を放電もしくは同コンデンサに電荷を充電させるスイッチ手段を備えたことを特徴とする請求項１に記載の接続機器の識別装置。
【請求項３】
前記印加される直流電圧をオン／オフするスイッチ手段を備えたことを特徴とする請求項１に記載の接続機器の識別装置。
【請求項４】
請求項１ないし請求項３のいずれかに記載の接続機器の識別装置を備えた電子機器。
【発明の詳細な説明】
【技術分野】
【０００１】
本発明は、接続機器の識別装置に係わり、より詳細には、メイン機器に接続されるサブ機器が、複数種類存在する場合に、１組の接続線を用いてこれらを識別する識別装置に関する。
【背景技術】
【０００２】
従来、複数種類存在する接続機器（以下サブ機器と記載する）を識別する装置として、抵抗による分圧電圧を用いて識別をする装置がある。この装置では、サブ機器毎に値の異なる抵抗が備えられており、このサブ機器を被接続機器（以下メイン機器と記載する）と接続すると、メイン機器に備えられている抵抗とサブ機器に備えられている抵抗が直列に接続される。
【０００３】
メイン機器に備えられている抵抗は、一端が直流電源に接続されており、サブ機器に備えられた抵抗とで分圧した電圧がメイン機器に備えられているＡ／Ｄ変換部に入力されるようになっている。サブ機器毎に抵抗の抵抗値を変えるとそれぞれの場合の分圧電圧が異なるため、この分圧電圧をＡ／Ｄ変換部に入力し、Ａ／Ｄ変換部で分圧電圧に対応するデジタル値である分圧電圧値に変換して制御部に出力し、制御部で入力された分圧電圧値を検出することでサブ機器の識別を行う。
【０００４】
このような識別装置は、プリンタのインクカートリッジや電源パック等着脱自在なサブ機器を有する様々な電子機器において、複数種類存在するサブ機器の識別に利用されている。例えば、特許文献１では、記録装置に備えられている印刷用紙カセットの識別に利用されている。
【０００５】
この特許文献１に開示されている識別装置は、図８の概略図に示すように、印刷用紙１０２が入っている印刷用紙カセット１００に、カセット固有の抵抗Ｒｘ１０１が取り付けられている。印刷用紙カセット１００は、矢印の方向に装置に装着され、装着されると装置側に固定されている端子１０３に電気的に接続される。
【０００６】
この端子１０３は、図９に示すようにＡ／Ｄ変換部１０６を持つ制御部１０５や抵抗Ｒｃ１０４を備えたコントロールボードに接続されており、制御部１０５のＡ／Ｄ変換部１０６と、コントロールボードのＧＮＤにそれぞれ接続されている。つまりは印刷用紙カセット１００を装置内に装着することにより、抵抗Ｒｘ１０１は制御部１０５のＡ／Ｄ変換部１０６とＧＮＤにそれぞれ接続される。
【０００７】
そして、制御部１０５のＡ／Ｄ変換部１０６には、抵抗Ｒｘ１０１と抵抗Ｒｃ１０４で直流電源Ｖｃｃを分圧した電圧が入力される。このＡ／Ｄ変換部１０６では入力された分圧電圧を、対応するデジタル値である分圧電圧値に変換して制御部１０５に出力する。抵抗Ｒｘ１０１の値を印刷用紙１０２のサイズにより変えると、各々の場合の分圧電圧に対応する分圧電圧値が制御部１０５に入力される。制御部１０５では、この分圧電圧値を検出することによりセットされている印刷用紙カセット１００の印刷用紙１０２のサイズを識別する。
【０００８】
以上のように、特許文献１に開示されている識別装置によれば、印刷用紙カセット１０２に抵抗Ｒｘ１０１を取り付け、装置側に抵抗Ｒｘ１０１をコントロールボードへ接続する端子１０３を備えるだけの構成であるため、簡易で安価に印刷用紙１０２の種類を識別できる。
【０００９】
しかしながら、このような抵抗による分圧電圧を利用して識別をする場合、抵抗値の誤差や接続の具合により、抵抗分圧により作り出されるアナログ電圧が変動する可能性があり、誤識別の恐れがある。
【００１０】
また、通常、抵抗値は規格で定められた一定の値のものを使用するため、組み合わせ数に限りがある。例えば、１ｋΩから４．７ｋΩの間は、１ｋΩ、１．２ｋΩ、２．２ｋΩ、３．３ｋΩ、４．７ｋΩ等のように区別されている。多様な値を得るためには、これらの抵抗を組み合わせることになり、手間とコストがかかっていた。あるいは、規格にない抵抗値を新規に設定することも可能であるが、規格品と比べ割高になるうえにイニシャルコストも発生するため、やはりコストがかかっていた。
【００１１】
一方、例えば分圧電圧を０．５Ｖ刻みで規定した場合、０〜＋５．０Ｖでは１０組の識別しかできない。しかも、この場合、±０．２５Ｖのマージンしかなく、＋５．０Ｖが５％変動しただけで誤識別する可能性がある。
【００１２】
従って、実際に適用する場合は、これらを考慮すると識別数が限られてしまうという問題があった。
【００１３】
また、Ａ／Ｄ変換部１０６で変換されたデジタル値は、ノイズ等により変動する可能性がある。その場合、数値の２度読み等を行えば短いパルスのノイズにはある程度対処でき誤識別を防ぐことができるが、それ以外のノイズの影響は別途フィルタ等を設けて対処する必要があり、その分構成が複雑となり高価なものになってしまうという問題がある。
【特許文献１】特開平３−１２０１２６号公報（第２頁、第１図、第２図）
【発明の開示】
【発明が解決しようとする課題】
【００１４】
本発明は以上述べた問題点を解決し、メイン機器に接続するサブ機器が複数種類存在する場合にその識別を行う装置において、より多種類のサブ機器の識別を簡易でかつ安価な構成で、しかも高い精度で行うことを目的とする。
【課題を解決するための手段】
【００１５】
本発明は上述の課題を解決するため、請求項１に関する発明は、
メイン機器とサブ機器とが着脱自在に構成され、
第１の抵抗を備えた前記サブ機器が前記メイン機器に接続された際に、前記第１の抵抗又は同第１の抵抗に直列に接続された第２の抵抗に直流電圧を印加する直流電源と、
前記第１の抵抗と前記第２の抵抗との間の電圧である分圧電圧を前記サブ機器の第１の識別値として検出し、同第１の識別値に基づいて前記サブ機器を識別する制御部とを前記メイン機器に備えた識別装置において、
前記制御部が、前記第１の抵抗と並列に設けられたコンデンサへの充電時間、又は、放電時間を第２の識別値として検出し、前記第１の識別値と前記第２の識別値とに基づいて前記サブ機器を識別することを特徴としている。
【００１６】
また、請求項２に関する発明は、
前記コンデンサに蓄積された電荷を放電もしくは同コンデンサに電荷を充電させるスイッチ手段を備えたことを特徴としている。
【００１７】
また、請求項３に関する発明は、
前記印加される直流電圧をオン／オフするスイッチ手段を備えたことを特徴としている。
【００１８】
さらには、請求項４に関する発明は、
請求項１ないし請求項３記載の接続機器の識別装置を、電子機器に備えたことを特徴としている。
【発明の効果】
【００１９】
請求項１に係わる発明は、抵抗による分圧電圧とコンデンサが充電もしくは放電されるまでの時間を識別値として使用することにより、固有の抵抗とコンデンサを備えたサブ機器がメイン機器に接続された際に、メイン機器に備えられた制御部にて識別値に対応したサブ機器の識別を簡易かつ安価な構成で行うことができる。
【００２０】
また、分圧電圧のステップを、マージンが充分取れるように広げることによって識別精度を上げ、これにより減少した識別数は、コンデンサの充電もしくは放電に掛かる時間を識別値として補うことができるので、分圧電圧のみで識別をする場合に比べてより正確に、より多種類のサブ機器を識別することができる。
【００２１】
そして、請求項２または請求項３に係わる発明は、メイン機器に備えられたスイッチ手段を制御部にて制御することにより、サブ機器に備えられたコンデンサの充電あるいは放電を充分に行なうことができる。これにより次にコンデンサに充電あるいは放電される際の時間を正確に測定し識別値として使用できるため、より正確な識別を行うことができる。
【００２２】
また、メイン機器に備えられたスイッチ手段を制御部にて制御することによりコンデンサを随時充電あるいは放電することができるため、制御部が任意の時間にサブ機器の識別を行うことができる。これにより制御がより簡易にできるようになり、制御部の負荷を低減することができる。
【００２３】
さらに、請求項４に係わる発明は、メイン機器を備えた電子機器を共通設計とし、異なる仕様毎に抵抗とコンデンサの組み合わせを変えたサブ機器を随時設計することにより、設計工数を削減することができる。また、設計の共通化による部品の共通化ができるため、調達コストの削減ができる。さらには、共通化されたメイン機器を備えた電子機器は一時に多量に製造できるため、製造ラインの効率化による工数削減ができ、製造コストの削減もできる。
【発明を実施するための最良の形態】
【００２４】
以下、本発明の実施の形態を、添付図面に基づいて詳細に説明する。尚、実施例としては、本発明による識別装置を備えた空気調和機を一例として説明することとする。
【実施例１】
【００２５】
図１は、一般的な壁掛型空気調和機の室内機の外観斜視図を示している。この室内機１は横長の筐体であり、前面の吸込口２に吸込グリル７を備えたカバー３が内部の構造物を覆うようになっている。また、下方に備えられた横長の吹出口４には複数の上下風向板５が配置されている。
【００２６】
図２は、室内機１からカバー３を取り外した状態を示している。内部に断面逆Ｖ字状に形成された熱交換器８を備えており、熱交換器８の右側には、図示しない電源部や、本発明のメイン機器に相当するメイン基板２０等の電装部品を組み込んでユニットにした電装品箱６が配置されている。電装品箱６の前面には、開口部９が設けられており、この開口部９を介して電装品箱６に組み込まれているメイン基板２０と本発明のサブ機器に相当するサブ基板２７を電気的に接続できるようになっている。
【００２７】
図３は本発明による識別装置の実施例における、制御回路を示すブロック図である。メイン基板２０には、Ａ／Ｄ変換部２２を備える制御部２１と、一端を直流電源Ｖｃｃに接続された第２の抵抗である抵抗Ｒａ２３と、一端をＧＮＤに接続されたスイッチ手段２４と、一端がＧＮＤに接続されたメイン基板コネクタ２６が備えられている。抵抗Ｒａ２３とスイッチ手段２４は互いに他端が接続点Ｖｐ２５で接続され、接続点Ｖｐ２５はＡ／Ｄ変換部２２およびメイン基板コネクタ２６と接続されている。
【００２８】
制御部２１は、上下風向板５の動作等空気調和機の様々な機能に関する制御を行う。また、内部に備えられているＡ／Ｄ変換部２２によりアナログ信号を変換したデジタル値が入力されると、それに対応した制御を行うことができる。なお、内部には入力された情報やあらかじめ与えられているテーブル等を記憶する記憶部も備えているが記載と説明は省略する。
【００２９】
スイッチ手段２４は、リレーやトランジスタ等のスイッチング素子で構成されており、制御部２１により動作が制御されるしくみとなっている。
【００３０】
サブ基板２７には、第１の抵抗である抵抗Ｒｂ２８と、コンデンサＣ２９と、一端がＧＮＤに接続されたサブ基板コネクタ３０が備えられている。抵抗Ｒｂ２８とコンデンサＣ２９は並列接続されており、一端がＧＮＤに、他端はサブ基板コネクタ３０に接続されている。
【００３１】
サブ基板コネクタ３０は、メイン基板コネクタ２６と電気的に接続可能な形状となっており、サブ基板コネクタ３０をメイン基板コネクタ２６に接続すると、抵抗Ｒｂ２８とコンデンサＣ２９がメイン基板２０の接続点Ｖｐ２５にそれぞれ接続されるように、またメイン基板２０のＧＮＤとサブ基板２７のＧＮＤが接続されるように配線がなされている。
【００３２】
以上説明した構成において、ユーザーが室内機１の電源をＯＮし制御回路に直流電源Ｖｃｃが供給されると、コンデンサＣ２９は徐々に充電され、接続点Ｖｐ２５の電圧も徐々に上昇していく。制御部２１はこの電圧をＡ／Ｄ変換部２２を介して変換された分圧電圧値として常にモニターする。電圧が安定し抵抗Ｒａ２３と抵抗Ｒｂ２８との分圧電圧に到達したら、制御部２１はその時の分圧電圧値を第１の識別値として制御部２１内の記憶部に記憶する。
【００３３】
次に制御部２１は、スイッチ手段２４を開閉して一旦コンデンサを放電してＶｐ２５の電圧をゼロにした後、再び充電を開始しＶｐ２５の電圧が記憶した分圧電圧値に相当する電圧に到達するまでの時間を計測し、第２の識別値として記憶する。制御部２１は記憶した第１の識別値と第２の識別値に基づいて、接続されたサブ基板２７の識別を行いそれに応じた制御を行う。
【００３４】
次に、図３および図４の特性図を用いて接続されるサブ基板２７を識別する原理について説明する。図４はコンデンサＣ２９が充電される際の接続点Ｖｐ２５における電圧−時間特性を表しており、縦軸は接続点Ｖｐ２５の電圧を、横軸は時間を示している。接続点Ｖｐ２５の電圧が、抵抗Ｒａ２３と抵抗Ｒｂ２８との分圧電圧に到達するまでの時間は、メイン基板２０に備えられた抵抗Ｒａ２３の抵抗値と、サブ基板２７に備えられた抵抗Ｒｂ２８の抵抗値およびコンデンサＣ２９の容量によって決まる時定数によって決まるため、抵抗値やコンデンサ容量の組み合わせを変更すると特性曲線は変化する。
【００３５】
例えば、抵抗Ｒａ２３を固定し接続点Ｖｐ２５の分圧電圧がＶ１となるように抵抗Ｒｂ２８の抵抗値を決定し、コンデンサＣ２９の容量のみ異なる３種類のサブ基板２７を用意する。このサブ基板２７をメイン基板２０に１枚ずつ接続し電源を投入すると、各接続点Ｖｐ２５の電圧−時間特性は図４に示す特性曲線Ａ４０、特性曲線Ｂ４１および特性曲線Ｃ４２となる。
【００３６】
ここでは、特性曲線Ａ４０、特性曲線Ｂ４１、特性曲線Ｃ４２の順に各コンデンサＣ２９の容量が大きくなっており、各接続点Ｖｐ２５の電圧がＶ１に到達するまでの時間つまりは各コンデンサＣ２９の充電が完了するまでの時間が順にｔ１、ｔ２、ｔ３となることを示している。
【００３７】
また、接続点Ｖｐ２５の分圧電圧がＶ２となるよう抵抗Ｒｂ２８の抵抗値を決定し、コンデンサＣ２９の容量のみ異なる３種類のサブ基板２７を用意する。上述同様に、サブ基板２７をメイン基板２０に１枚ずつ接続し電源を投入すると、各接続点Ｖｐ２５の電圧−時間特性は図４に示す特性曲線Ｄ４３、特性曲線Ｅ４４および特性曲線Ｆ４５となる。
【００３８】
ここでは、特性曲線Ｄ４３、特性曲線Ｅ４４、特性曲線Ｆ４５の順に各コンデンサＣ２９の容量が大きくなっており、各接続点Ｖｐ２５の電圧がＶ２に到達するまでの時間つまりは各コンデンサＣ２９の充電が完了するまでの時間が順にｔ’１、ｔ’２、ｔ’３となることを示している。
【００３９】
以上のような手段で得られる分圧電圧値やコンデンサＣ２９の充電が完了する時間を、サブ基板２７を識別するための識別値として使用する。この識別値は、サブ基板２７毎に抵抗Ｒｂ２８の抵抗値やコンデンサＣ２９の容量を決定することで種類を増やすことができるため、予め多種類存在するサブ基板２７に対応する識別値を割り当てて制御部２１の記憶部に記憶させておけば、制御部２１は得られた識別値に対応してサブ基板２７を識別することができる。
【００４０】
次に、図３および図５のテーブルを用いて接続されたサブ基板２７を識別する具体的な動作について説明する。図５は制御部２１にあらかじめ記憶させておく識別値と識別種との相関を示すテーブルである。分圧および時間は識別値を示し、分圧は接続点Ｖｐ２５の分圧電圧を、時間は接続点Ｖｐ２５の電圧が分圧電圧に到達するまでの時間つまりはコンデンサＣ２９の充電が完了するまでの時間を示している。また、識別種はサブ基板２７の種類を示しており、それぞれの分圧における時間に応じて、ａ〜ｆの識別種が割り当てられている。
【００４１】
今、室内機１の電源がＯＮされると、図３に示す制御回路に電源が供給され制御部２１は接続されているサブ基板２７の認識を開始する。この際、スイッチ手段２４は制御部２１によりＯＦＦされ、直流電源Ｖｃｃより抵抗Ｒａ２３および接続点Ｖｐ２５を経てコンデンサＣ２９に電流が流れ、コンデンサＣ２９が徐々に充電される。コンデンサＣ２９の充電が進むのに伴い、接続点Ｖｐ２５の電圧も徐々に上昇し、コンデンサＣ２９の充電が完了すると接続点Ｖｐ２５の電圧は抵抗Ｒａ２３と抵抗Ｒｂ２８とで分圧された電圧、例えば図５に記載の分圧１．０（Ｖ）となる。
【００４２】
分圧１．０（Ｖ）はＡ／Ｄ変換部２２に入力され、デジタル値である分圧電圧値に変換されて制御部２１へ出力される。制御部２１は入力された分圧電圧値を記憶し、記憶が完了するとスイッチ手段２４をＯＮする。スイッチ手段２４がＯＮされたことによりコンデンサ２９の両端が短絡された状態となり、コンデンサＣ２９に充電されていた電荷は接続点Ｖｐ２５およびスイッチ手段２４を経てＧＮＤへ流れ、コンデンサＣ２９は放電される。また、接続点Ｖｐ２５の電圧は０（Ｖ）となる。
【００４３】
一定時間後、制御部２１は再びスイッチ手段２４をＯＦＦする。コンデンサＣ２９の充電が進み、接続点Ｖｐ２５の電圧が上昇していくが、この際にスイッチ手段２４をＯＦＦつまりはコンデンサＣ２９の充電の開始から、充電の完了つまりは接続点Ｖｐ２５の電圧が制御部２１で記憶した分圧１．０（Ｖ）まで到達する時間を制御部２１にて測定することにより、例えば図５に記載の時間１（ｍＳ）を得る。
【００４４】
制御部２１は、以上のようにして得た分圧と時間をあらかじめ記憶している図５のテーブルと比較することで、接続されているサブ基板２７を識別することができる。上述した例では、分圧が１．０（Ｖ）、時間が１（ｍＳ）なので、接続されているサブ基板２７の識別種はａとなる。同様にして、分圧が１．０（Ｖ）で時間が１０（ｍＳ）の場合はサブ基板２７の識別種はｂ、時間が５０（ｍＳ）の場合はサブ基板２７の識別種はｃとなる。
【００４５】
また、サブ基板２７に備えられている抵抗Ｒｂ２８の抵抗値が異なる他のサブ基板２７で分圧を２．０（Ｖ）とした場合も同様に、それぞれ時間が１００（ｍＳ）の場合はサブ基板２７の識別種はｄ、１５０（ｍＳ）の場合はサブ基板２７の識別種はｅ、２００（ｍＳ）の場合はサブ基板２７の識別種はｆとなる。接続されているサブ基板２７の識別が完了すると、制御部２１は接続されているサブ基板２７に対応した制御を行う。
【００４６】
以上説明した実施例では、スイッチ手段２４はＧＮＤと接続点Ｖｐ２５の間に接続されているが、この配置を削除し、代わりに直流電源Ｖｃｃと抵抗Ｒａ２３の間、又は抵抗Ｒａ２３と接続点Ｖｐ２５の間に配置してもよい。但し、コンデンサＣ２９に充電する場合はスイッチ手段２４をＯＮ、放電する場合はスイッチ手段２４をＯＦＦとなるよう制御部２１により制御する必要がある。尚、この場合のコンデンサＣ２９の放電は抵抗Ｒｂ２８によって行われる。
【００４７】
また、本実施例では、コンデンサに充電される時間を計測しているが、コンデンサが放電される時間を計測しても効果は同等である。すなわち、制御部２１によりスイッチ手段２４をＯＦＦしてコンデンサＣ２９を充電した後、スイッチ手段２４をＯＮしこの時点から放電が完了するまでの時間を測定し、識別値とする。
【００４８】
識別値である分圧と時間は、サブ基板２７に備えられた抵抗Ｒｂ２８の抵抗値やコンデンサＣ２９の容量を変えるだけで種類を増やすことができるので、識別が必要なサブ基板２７が増えてもサブ基板２７毎に抵抗Ｒｂ２８の抵抗値やコンデンサＣ２９の容量を設定することで簡単に対応できる。また、分圧と時間はそれぞれ別々の要素を識別するための識別値として使用してもよい。例えば、仕向地が複数存在し、各仕向地で展開される機種が複数存在するような場合は、仕向地の識別を分圧で行い機種の識別を時間で行うとよい。
【００４９】
次に図３に示すメイン基板２０に備えられた制御部２１での処理を表すフローチャートを用いて、サブ基板２７を識別し、それに対応した制御を行うまでの流れについて説明する。図６のフローチャートは室内機１の電源がＯＮされてから処理が完了するまでの流れを示しており、ＳＴはステップを、これに続く数字はステップ番号をそれぞれ表している。
【００５０】
ユーザーにより室内機１の電源がＯＮされると、制御部２１に電源が投入され、制御部２１はスイッチ手段２４をＯＦＦにする（ＳＴ１）。これは前述したように、サブ基板２７に備えられたコンデンサＣ２９を充電し、接続点Ｖｐ２５の電圧を抵抗Ｒａ２３と抵抗Ｒｂ２８との分圧電圧まで上昇させるためである。
【００５１】
制御部２１は、接続点Ｖｐ２５の電圧が抵抗Ｒａ２３と抵抗Ｒｂ２８との分圧電圧まで上昇し、電圧が安定すれば、制御部２１内に備えられたＡ／Ｄ変換部２２を介して分圧電圧をデジタル値に変換し、分圧電圧値として制御部２１へ取り込む。制御部２１は入力した分圧電圧値を記憶部に記憶する（ＳＴ２）。尚、以下では記憶された分圧電圧値を記憶値と記載する。記憶が完了すると、制御部２１はスイッチ手段２４をＯＮにする（ＳＴ３）。これは前述したように、コンデンサＣ２９を放電し、接続点Ｖｐ２５の電圧をゼロにするためである。
【００５２】
接続点Ｖｐ２５の電圧がゼロとなり、コンデンサＣ２９が完全に放電されるまで一定時間待つ（ＳＴ４）。その後、制御部２１はスイッチ手段２４を再びＯＦＦにする（ＳＴ５）。スイッチ手段２４が再びＯＦＦにされると、コンデンサＣ２９の充電が始まり、接続点Ｖｐ２５の電圧が上昇する。この際制御部２１において、新たに入力された接続点Ｖｐ２５の分圧電圧をＡ／Ｄ変換部２２で変換した分圧電圧値とＳＴ２で記憶した記憶値とを比較し、同じであるか否かを判断する（ＳＴ６）。
【００５３】
分圧電圧値と記憶値が同じでない場合はＳＴ６へ戻り再び比較を行うが、このル−チンを分圧電圧値と記憶値が同じになるまで繰り返し、その回数をカウントする（ＳＴ７）。分圧電圧値と記憶値が同じになれば、カウントされた回数と１ルーチンにかかる時間から分圧電圧値と記憶値が同じになるまでの時間を制御部２１にて計算して記憶し、ＳＴ８にジャンプする。
【００５４】
制御部２１は記憶値と計算した時間を、あらかじめ記憶されている図５のようなテーブルと比較をすることにより、接続されているサブ基板２７の識別を行う（ＳＴ８）。そして、接続されているサブ基板２７に応じた機器の制御を行って（ＳＴ９）、処理を終了する。
【００５５】
以上説明した処理では、ユーザーが室内機１の電源をＯＮし制御部２１に電源が投入される場合について述べたが、停電等不測の事態により室内機１の電源がＯＦＦ／ＯＮされた場合でも、室内機１の電源がＯＮとなることは同じであるため、前述した説明と同様の処理が行われる。
【００５６】
また、室内機１の電源がＯＮされた状態でサブ基板２７を着脱した場合では、サブ基板２７が接続されていない状態では接続点Ｖｐ２５の電圧が直流電源Ｖｃｃの電圧となっているのに対し、サブ基板２７が接続されると接続点Ｖｐ２５の電圧が直流電源Ｖｃｃの電圧より下がる（抵抗Ｒａ２３と抵抗Ｒｂ２８の分圧電圧になる）ため、制御部２１は接続点Ｖｐ２５の電圧を監視することによりサブ基板２７の着脱を認識することができ、サブ基板２７が接続された際には前述した説明と同様の処理を行うことができる。
【実施例２】
【００５７】
図７は本発明による識別装置の他の実施例における、制御回路を示すブロック図である。この制御回路は図３で説明した制御回路に類似するため、図３で説明した構成については、同じ番号を付して、詳細な説明を省略する。図３で説明した制御回路と異なるのは、スイッチ手段２４がなく、抵抗Ｒａ２３にダイオードＤ６０が並列接続されていることである。ダイオードＤ６０は、アノード側が接続点Ｖｐ２５に、カソード側が直流電源Ｖｃｃに接続されており、直流電源Ｖｃｃから流れる電流に対し逆方向接続となっている。
【００５８】
図７に示す制御回路では、室内機１の電源がＯＮし制御回路に電源が供給されると、直流電源Ｖｃｃより抵抗Ｒａ２３および接続点Ｖｐ２５を経てコンデンサＣ２９に電流が流れ、コンデンサＣ２９は徐々に充電される。コンデンサＣ２９の充電が進むのに伴い、接続点Ｖｐ２５の電圧も徐々に上昇する。制御部２１は、接続点Ｖｐ２５の電圧が抵抗Ｒａ２３と抵抗Ｒｂ２８との分圧電圧まで上昇し、上昇の変化がなくなると、制御部２１内に備えられたＡ／Ｄ変換部２２を介して分圧電圧をデジタル値に変換し、最終的な分圧電圧値として制御部２１へ取り込み、記憶部へ記憶する。
【００５９】
また、制御部２１は、分圧電圧の上昇の変化がなくなるまでの時間を計測し、記憶部へ記憶する。制御部２１には、図５のような識別値と識別種との相関を示すテーブルが予め記憶されており、最終的な分圧電圧値と時間とをテーブル内で参照し、対応する識別種を抽出する。制御部２１は、抽出した識別種より接続されているサブ基板２７を識別し、それに応じた制御を行う。
【００６０】
コンデンサＣ２９は、室内機１の電源がＯＮされている間つまりは制御回路に電源が供給されている間は充電された状態となっている。室内機１の電源がＯＦＦされると制御回路に電源が供給されなくなり、直流電源Ｖｃｃはゼロとなる。この時、ダイオードＤ６０がない場合でもコンデンサＣ２９は放電されるが、ＧＮＤのような電圧ゼロとなる点に接続されないため放電に時間がかかる可能性がある。ユーザーがコンデンサＣ２９の放電が充分完了しない状態で再び室内機１の電源をＯＮすると、コンデンサＣ２９の充電が途中から開始されることになる。
【００６１】
従って接続点Ｖｐ２５の電圧もゼロでない途中のレベルから上昇を始めるので、結果的に接続点Ｖｐ２５が記憶した分圧電圧値まで上昇する時間を正確に測定することができない。一般的には、室内機１の電源がＯＦＦされると直流電源Ｖｃｃは低インピーダンス状態となるため、本実施例のようにダイオードＤ６０を備えている場合は、コンデンサＣ２９はダイオードＤ６０を介して直流電源Ｖｃｃに速やかに放電される。このため、次に室内機１の電源をＯＮした際に接続点Ｖｐ２５が記憶した分圧電圧値まで上昇する時間を正確に測定することができる。
【００６２】
以上のように、ダイオードＤ６０を設けることにより室内機１の電源をＯＮ／ＯＦＦするだけでコンデンサＣ２９の充電／放電が行え、識別値としての分圧電圧値や時間を測定することができる。この装置ではスイッチ手段２４を使用しないため制御部２１の負担を低減することができ、結果的にコストを下げることができる。但し、室内機１の電源ＯＮ中に識別を行い、それに対応する制御が必要となる場合は本実施例ではコンデンサＣ２９を任意に充電もしくは放電できないため、前述したようなスイッチ手段２４が必要となる。
【００６３】
以上説明した通り、本発明によれば、抵抗による分圧電圧とコンデンサが充電もしくは放電されるまでの時間を識別値として使用することにより、固有の抵抗とコンデンサを備えたサブ機器がメイン機器に接続された際に、メイン機器に備えられた制御部にて識別値に対応したサブ機器の識別を簡易かつ安価な構成で行うことができる。
【００６４】
また、分圧電圧のステップを、マージンが充分取れるように広げることによって識別精度を上げ、これにより減少した識別数は、コンデンサの充電もしくは放電に掛かる時間を識別値として補うことができるので、分圧電圧のみで識別をする場合に比べてより正確に、より多種類のサブ機器を識別することができる。    
【００６５】
また、メイン機器に備えられたスイッチ手段を制御部にて制御することによりコンデンサを随時充電あるいは放電することができるため、制御部が任意にサブ機器の識別を行うことができる。これにより制御がより簡易にできるようになり、制御部の負荷を低減することができる。
【００６６】
さらには、メイン機器を備えた電子機器を共通設計とし、異なる仕様毎に抵抗とコンデンサの組み合わせを変えたサブ機器を随時設計することにより、設計工数を削減することができる。また、設計の共通化による部品の共通化ができるため、調達コストの削減ができる。さらには、共通化されたメイン機器を備えた電子機器は一時に多量に製造できるため、製造ラインの効率化による工数削減ができ、製造コストの削減もできる。
【００６７】
尚、本実施例では、Ａ／Ｄ変換部が制御部に備えられた場合について説明しているが、これに限るものでなく、Ａ／Ｄ変換部が制御部とは別にメイン機器に設けられ、制御部により制御されていてもよい。
【００６８】
また、本実施例では、第１の抵抗をサブ機器に、第２の抵抗をメイン機器に設けているが、これに限るものでなく、第１の抵抗、第２の抵抗を共にサブ機器に設け、メイン機器ではサブ機器からの分圧電圧と充電もしくは放電時間を測定するのみとしてもよい。
【００６９】
また、本実施例では本発明による識別装置を備えた空気調和機を説明しているが、これに限るものでなく、構成として制御部を備え、識別が必要な任意のサブ機器が接続可能となっているメイン機器を持つ電子機器に幅広く応用できる。
【００７０】
さらには、工場出荷時や販売時等にメイン機器とサブ機器が一対となっているもの以外にも、機能拡張等の目的でサブ機器を追加して接続する場合や、消耗や故障等の理由でサブ機器を取り替える場合のように、メイン機器とは別途にサブ機器が設定されている場合でも応用が可能である。
【図面の簡単な説明】
【００７１】
【図１】本発明による空気調和機の実施例を示す外観斜視図である。
【図２】本発明による空気調和機の実施例を示す要部分解斜視図である。
【図３】本発明による識別装置の実施例における、制御回路のブロック図である。
【図４】本発明による識別装置の実施例における、電圧−時間の特性図である。
【図５】本発明による識別装置の実施例における、識別値と識別種の相関テーブル図である。
【図６】本発明による識別装置の実施例における、制御部での処理を示すフローチャートである。
【図７】本発明による識別装置の他の実施例における、制御回路のブロック図である。
【図８】従来の識別装置を示す概略図である。
【図９】従来の識別装置を示す回路のブロック図である。
【符号の説明】
【００７２】
１  室内機
２  吸込口
３  カバー
４  吹出口
５  上下風向板
６  電装品箱
７  吸込グリル
８  熱交換器
９  開口部
２０ メイン基板
２１  制御部
２２  Ａ／Ｄ変換部
２３  抵抗Ｒａ
２４  スイッチ手段
２５  接続点Ｖｐ
２６  メイン基板コネクタ
２７  サブ基板
２８  抵抗Ｒｂ
２９  コンデンサＣ
３０  サブ基板コネクタ
４０  特性曲線Ａ
４１  特性曲線Ｂ
４２  特性曲線Ｃ
４３  特性曲線Ｄ
４４  特性曲線Ｅ
４５  特性曲線Ｆ
６０  ダイオードＤ
【図１】
2009204178.tif 000003
【図２】
2009204178.tif 000004
【図３】
2009204178.tif 000005
【図４】
2009204178.tif 000006
【図５】
2009204178.tif 000007
【図６】
2009204178.tif 000008
【図７】
2009204178.tif 000009
【図８】
2009204178.tif 000010
【図９】
2009204178.tif 000011